【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
共有サービス資源によるサービスの提供対象に付与された受益者コードを読み取る読取手段と、
前記受益者コードで指定される受益者に対して、前記サービスの提供対象に提供される前記共有サービス資源によるサービス提供処理の制御権を与える制御権付与手段と、
を備えることを特徴とする共有サービス資源制御システム。
【請求項２】
読取手段とサーバとコントローラとを備え、
前記読取手段は、
共有サービス資源によるサービスの提供対象に付与された受益者コードを読み取る機能と、
前記読み取った受益者コードを前記コントローラへ送信する機能とを有し、
前記サーバは、
前記コントローラから受益者コードで処理の問合せがあったときに、その問合せのあった受益者コードで指定される受益者からの処理指示が自サーバ内に保持されているか否かを確認し、その保持を確認した場合に、前記受益者からの処理指示に従って該受益者のサービス提供対象を処理するように指示する処理指示と、該受益者の受益者コードとを一緒に前記コントローラへ出力する機能を有し、
前記コントローラは、
前記読取手段から送信されてきた受益者コードの入力に起因して、その受益者コードで前記サーバへ処理の問合せをする機能と、
前記サーバからの処理指示と一緒に送られてきた前記受益者コードと前記読取手段から送られてきた受益者コードとの一致性を確認し、一致する場合に、その受益者コードで指定される受益者に対して制御権を与え、制御権を獲得した受益者のサービス提供対象を前記処理指示に従って処理する機能とを有すること
を特徴とする共有サービス資源制御システム。
【請求項３】
前記処理指示は、受益者が依頼をしたサービス提供処理についての処理変更の依頼内容を含むこと
を特徴とする請求項２に記載の共有サービス資源制御システム。
【請求項４】
前記受益者コードは、前記サービス提供対象に取り付けられるＲＦＩＤタグ内の記憶部に格納され、
前記読取手段は、ＲＦＩＤリーダライタとその付属アンテナからなり、これらで前記ＲＦＩＤタグから受益者コードを読み取ること
を特徴とする請求項１ないし３のいずれかに記載の共有サービス資源制御システム。
【請求項５】
前記共有サービス資源は、集荷営業所、中継所、配達営業所などの運送関連施設ないしは設備であり、
前記共有サービス資源によるサービスの提供対象は、配送される荷物であり、
前記サービスによる利益を受ける受益者は、前記荷物の荷主であり、
前記サービス提供処理は、前記運送関連施設ないしは設備で行なわれる前記荷物の仕分け処理等、当該荷物の配送に関連する処理であること
を特徴とする請求項１ないし３のいずれかに記載の共有サービス資源制御システム。
【請求項６】
前記共有サービス資源は、加工工場内の加工機であり、
前記共有サービス資源によるサービスの提供対象は、前記加工機で加工される加工対象物であり、
前記サービスによる利益を受ける受益者は、前記加工対象物の所有者であり、
前記サービス提供処理は、前記加工機で前記加工対象物を加工する処理であること
を特徴とする請求項１ないし３のいずれかに記載の共有サービス資源制御システム。
【請求項７】
前記共有サービス資源は、カメラを含む撮影装置であり、
前記共有サービス資源によるサービスの提供対象は、前記カメラで撮影される子供であり、
前記サービスによる利益を受ける受益者は、前記子供の親権者であり、
前記サービス提供処理は、登下校する前記子供の姿を前記カメラの撮影画像で提供する処理であること
を特徴とする請求項１に記載の共有サービス資源制御システム。
【請求項８】
前記共有サービス資源は、商品の販売情報を取引先メーカーへ配信するためのサーバであり、
前記共有サービス資源によるサービスの提供対象は、前記商品であり、
前記サービスによる利益を受ける受益者は、前記商品の取引先メーカーであり、
前記サービス提供処理は、前記商品の販売情報を取引先メーカーへ配信する処理であること
を特徴とする請求項１に記載の共有サービス資源制御システム。
【請求項９】
共有サービス資源によるサービスの提供対象に付与された受益者コードが読取手段で読み取られ、前記サービスの提供対象に提供される前記共有サービス資源によるサービス提供処理の制御権が、制御権付与手段により、前記受益者コードで指定される受益者に与えること
を特徴とする共有サービス資源制御方法。
【請求項１０】
共有サービス資源によるサービスの提供対象に付与された受益者コードが読取手段で読み取られ、この読み取られた受益者コードが読取手段からコントローラへ送信され、
前記コントローラでは、読取手段から送信されてきた受益者コードの入力に起因して、その受益者コードでサーバへ処理の問い合わせをし、
前記サーバでは、問い合わせのあった受益者コードで指定される受益者からの処理指示がサーバ内に保持されている否かを確認し、その保持を確認した場合に、受益者からの処理指示に従って該受益者のサービス提供対象を処理するように指示する処理指示と、受益者の受益者コードとを前記コントローラへ出力し、
前記コントローラでは、サーバからの処理指示と一緒に送られてきた前記受益者コードと前記読取手段から送られてきた受益者コードとの一致性を確認し、一致する場合に、その受益者コードで指定される受益者に対して制御権を与え、制御権を獲得した受益者のサービス提供対象を前記処理指示に従って処理すること
を特徴とする共有サービス資源制御方法。
【請求項１１】
前記処理指示は、受益者が依頼をしたサービス提供処理についての処理変更の依頼内容を含むこと
を特徴とする請求項１０に記載の共有サービス資源制御方法。
【請求項１２】
前記受益者コードは、前記サービス提供対象に取り付けられるＲＦＩＤタグ内の記憶部に格納され、
前記読取手段は、ＲＦＩＤリーダライタとその付属アンテナからなり、これらで前記ＲＦＩＤタグから受益者コードを読み取ること
を特徴とする請求項９ないし１１のいずれかに記載の共有サービス資源制御方法。
【請求項１３】
前記共有サービス資源は、集荷営業所、中継所、配達営業所などの運送関連施設ないしは設備であり、
前記共有サービス資源によるサービスの提供対象は、配送される荷物であり、
前記サービスによる利益を受ける受益者は、前記荷物の荷主であり、
前記サービス提供処理は、前記運送関連施設ないしは設備で行なわれる前記荷物の仕分け処理等、当該荷物の配送に関連する処理であること
を特徴とする請求項９ないし１１のいずれかに記載の共有サービス資源制御方法。
【請求項１４】
前記共有サービス資源は、加工工場内の加工機であり、
前記共有サービス資源によるサービスの提供対象は、前記加工機で加工される加工対象物であり、
前記サービスによる利益を受ける受益者は、前記加工対象物の所有者であり、
前記サービス提供処理は、前記加工機で前記加工対象物を加工する処理であること
を特徴とする請求項９ないし１１のいずれかに記載の共有サービス資源制御方法。
【請求項１５】
前記共有サービス資源は、カメラを含む撮影装置であり、
前記共有サービス資源によるサービスの提供対象は、前記カメラで撮影される子供であり、
前記サービスによる利益を受ける受益者は、前記子供の親権者であり、
前記サービス提供処理は、登下校する前記子供の姿を前記カメラの撮影画像で提供する処理であること
を特徴とする請求項９に記載の共有サービス資源制御方法。
【請求項１６】
前記共有サービス資源は、商品の販売情報を取引先メーカーへ配信するためのサーバであり、
前記共有サービス資源によるサービスの提供対象は、前記商品であり、
前記サービスによる利益を受ける受益者は、前記商品の取引先メーカーであり、
前記サービス提供処理は、前記商品の販売情報を取引先メーカーへ配信する処理であること
を特徴とする請求項９に記載の共有サービス資源制御方法。
【手続補正２】
【補正対象書類名】明細書
【補正対象項目名】００１６
【補正方法】変更
【補正の内容】
【００１６】
上記目的を達成するために、本発明は、図２の請求項２又は１０のクレーム対応図に示したように、読取手段とサーバとコントローラとを備え、前記読取手段は、共有サービス資源によるサービスの提供対象に付与された受益者コードを読み取る機能（コード読取機能）と、前記読み取った受益者コードを前記コントローラへ送信する機能（コード送信機能）とを有し、前記サーバは、前記コントローラから受益者コードで処理の問合せがあったときに、その問合せのあった受益者コードで指定される受益者からの処理指示が自サーバ内に保持されているか否かを確認し、その保持を確認した場合に、前記受益者からの処理指示に従って該受益者のサービス提供対象を処理するように指示する処理指示と、該受益者の受益者コードとを一緒に前記コントローラへ出力する機能（処理指示等出力機能）を有し、前記コントローラは、前記読取手段から送信されてきた受益者コードの入力に起因して、その受益者コードで前記サーバへ処理の問合せをする機能（問合せ機能）と、前記サーバからの処理指示と一緒に送られてきた前記受益者コードと前記読取手段から送られてきた受益者コードとの一致性を確認し、一致する場合に、その受益者コードで指定される受益者に対して制御権を与え（制御権付与機能）、制御権を獲得した受益者のサービス提供対象を前記処理指示に従って処理する機能とを有することを特徴とする。
【手続補正３】
【補正対象書類名】明細書
【補正対象項目名】００７１
【補正方法】変更
【補正の内容】
【００７１】
【図１】請求項１又は９のクレーム対応図。
【図２】請求項２又は１０のクレーム対応図。
【図３】本発明を適用した配送サービスシステムの全体図。
【図４】図３の配送サービスシステムにおける中継所の詳細説明図。
【図５】図３の配送サービスシステムで使用される荷物管理テーブルの説明図。
【図６】本発明を適用した加工サービスシステムの説明図。
【図７】図６の加工サービスシステムで使用される加工管理テーブルの説明図。
【図８】本発明を適用した登下校確認サービスシステムの説明図。
【図９】本発明を適用した販売情報配信サービスシステムの説明図。